(57)【特許請求の範囲】
【請求項１】
室内側開口部と室外側開口部を連通する通風路を内部に形成し、前記室内側開口部を室内に臨ませて天井面に固定されるフレームに、通風口を備え前記フレームの前記室内側開口を覆う化粧パネルを着脱自在に取り付ける取付手段を備えた化粧パネル取付装置であって、前記取付手段は、前記化粧パネルの裏面と前記フレームのいずれか一方に設けられ突起部を備えた複数のボス部と、もう一方に設けられ前記ボス部と嵌合し前記突起部と係合する係合部を備えた複数のボス受け部とからなり、前記複数のボス部とボス受け部のうち１組のボス部とボス受け部が、前記化粧パネルの落下防止をなす構成を備えたものであって、前記１組のボス部とボス受け部を前記化粧パネルおよび前記フレームの角部側に設け、前記化粧パネルに落下方向に力が作用した際に、前記化粧パネルの外周角部が前記フレームに当接することを特徴とした化粧パネル取付装置。
【請求項２】
室内側開口部と室外側開口部を連通する通風路を内部に形成し、前記室内側開口部を室内に臨ませて天井面に固定されるフレームに、通風口を備え前記フレームの前記室内側開口を覆う化粧パネルを着脱自在に取り付ける取付手段を備えた化粧パネル取付装置であって、前記取付手段は、前記化粧パネルの裏面と前記フレームのいずれか一方に設けられ突起部を備えた複数のボス部と、もう一方に設けられ前記ボス部と嵌合し前記突起部と係合する係合部を備えた複数のボス受け部とからなり、前記複数のボス部とボス受け部のうち１組のボス部とボス受け部が、前記化粧パネルの落下防止をなす構成を備え、前記１組のボス部とボス受け部におけるボス部に２個の突起部を上下方向に設け、通常時は下段の前記突起部が前記係合部に係合するものであって、前記１組のボス部とボス受け部を前記化粧パネルおよび前記フレームの角部側に設け、前記化粧パネルに落下方向に力が作用した際に、前記化粧パネルの外周角部が前記フレームに当接することを特徴とした化粧パネル取付装置。
【請求項３】
室内側開口部と室外側開口部を連通する通風路を内部に形成し、前記室内側開口部を室内に臨ませて天井面に固定されるフレームに、通風口を備え前記フレームの前記室内側開口を覆う化粧パネルを着脱自在に取り付ける取付手段を備えた化粧パネル取付装置であって、前記取付手段は、前記化粧パネルの裏面と前記フレームのいずれか一方に設けられ突起部を備えた複数のボス部と、もう一方に設けられ前記ボス部と嵌合し前記突起部と係合する係合部を備えた複数のボス受け部とからなり、前記複数のボス部とボス受け部のうち１組のボス部とボス受け部が、前記化粧パネルの落下防止をなす構成を備え、前記１組のボス部とボス受け部の前記突起部と前記係合部は、通常時係合しなく、前記化粧パネルに落下方向に力が作用した際に係合するものであって、前記１組のボス部とボス受け部を前記化粧パネルおよび前記フレームの角部側に設け、前記化粧パネルに落下方向に力が作用した際に、前記化粧パネルの外周角部が前記フレームに当接することを特徴とした化粧パネル取付装置。
【請求項４】
前記複数のボス部とボス受け部を、前記化粧パネルが所定の１方向にしか取り付かないように配設したことを特徴とする請求項１〜３のいずれかに記載の化粧パネル取付装置。
【請求項５】
室内側開口部と室外側開口部を連通する通風路を内部に形成し、前記室内側開口部を室内に臨ませて天井面に固定されるフレームに、通風口を備え前記フレームの前記室内側開口を覆う化粧パネルを着脱自在に取り付ける取付手段を備えた化粧パネル取付装置であって、前記取付手段は、前記化粧パネルの裏面と前記フレームのいずれか一方に設けられ突起部を備えた複数のボス部と、もう一方に設けられ前記ボス部と嵌合し前記突起部と係合する係合部を備えた複数のボス受け部とからなり、前記複数のボス部とボス受け部のうち１組のボス部とボス受け部が、前記化粧パネルの落下防止をなす構成を備えたものであって、前記化粧パネルと前記フレームの外周近傍に引っ掛け部と係合穴とからなる係合手段を付加したことを特徴とする化粧パネル取付装置。
【請求項６】
室内側開口部と室外側開口部を連通する通風路を内部に形成し、前記室内側開口部を室内に臨ませて天井面に固定されるフレームに、通風口を備え前記フレームの前記室内側開口を覆う化粧パネルを着脱自在に取り付ける取付手段を備えた化粧パネル取付装置であって、前記取付手段は、前記化粧パネルの裏面と前記フレームのいずれか一方に設けられ突起部を備えた複数のボス部と、もう一方に設けられ前記ボス部と嵌合し前記突起部と係合する係合部を備えた複数のボス受け部とからなり、前記複数のボス部とボス受け部のうち１組のボス部とボス受け部が、前記化粧パネルの落下防止をなす構成を備え、前記１組のボス部とボス受け部におけるボス部に２個の突起部を上下方向に設け、通常時は下段の前記突起部が前記係合部に係合するものであって、前記化粧パネルと前記フレームの外周近傍に引っ掛け部と係合穴とからなる係合手段を付加したことを特徴とする化粧パネル取付装置。
【請求項７】
室内側開口部と室外側開口部を連通する通風路を内部に形成し、前記室内側開口部を室内に臨ませて天井面に固定されるフレームに、通風口を備え前記フレームの前記室内側開口を覆う化粧パネルを着脱自在に取り付ける取付手段を備えた化粧パネル取付装置であって、前記取付手段は、前記化粧パネルの裏面と前記フレームのいずれか一方に設けられ突起部を備えた複数のボス部と、もう一方に設けられ前記ボス部と嵌合し前記突起部と係合する係合部を備えた複数のボス受け部とからなり、前記複数のボス部とボス受け部のうち１組のボス部とボス受け部が、前記化粧パネルの落下防止をなす構成を備え、前記１組のボス部とボス受け部の前記突起部と前記係合部は、通常時係合しなく、前記化粧パネルに落下方向に力が作用した際に係合するものであって、前記化粧パネルと前記フレームの外周近傍に引っ掛け部と係合穴とからなる係合手段を付加したことを特徴とする化粧パネル取付装置。
【請求項８】
前記係合手段に対向する前記化粧パネルと前記フレームの外周部近傍に、前記化粧パネルと前記フレームを係脱する係脱手段と、前記ボス部とボス受け部の係脱操作をするプッシュボタンとを設けたことを特徴とする請求項５〜７のいずれかに記載の化粧パネル取付装置。
【発明の詳細な説明】
【技術分野】
【０００１】
本発明は、室外空気を室内に供給するために天井板等に端末開口として設けられる給気グリル、あるいは、室内空気を室外に排気するために天井板等に設けられる換気機器等に装着される化粧パネルの取付装置に関するものである。
【背景技術】
【０００２】
従来、例えば、天井に固定される給気グリルの室内側開口を覆って着脱自在に取り付けられる化粧パネルは、一般的に、化粧パネルに形成された樹脂材からなる嵌合部がグリル本体の室内側に嵌合するものであった（例えば、特許文献１参照）。
【０００３】
以下、特許文献１に記載の給気グリルについて図８を参照しながら説明する。
【０００４】
図に示すように、給気グリルは、室外空気を室内に給気する搬送空気をダクトを介して室内へ吹き出すように設けられる給気グリルであり、前記ダクトと接続されるグリル本体１０１と、グリル本体１０１を、天井や壁等を構成する板材１０２に取り付ける固定機構１０３とを備え、グリル本体１０１には、空気が通る開口部１０４と、開口部１０５の周縁に形成されたフランジ部１０６とが形成され、そして、開口部１０４と対向して室内側に化粧パネルである正面パネル１０５が着脱可能に取り付けられている。正面パネル１０５は、正面パネル１０５に一体成形された樹脂からなる嵌合部と、グリル本体１０１のフランジ部１０６との嵌合のみで取り付けられている。
【先行技術文献】
【特許文献】
【０００５】
【特許文献１】特開２００９−６３２１１号公報
【発明の概要】
【発明が解決しようとする課題】
【０００６】
このような従来の正面パネル１０５の取り付けでは、正面パネル１０５に樹脂で一体成形された嵌合部とグリル本体１０１のフランジ部１０６との嵌合のみで固定されているため、樹脂を劣化させるような室外環境の室外空気を給気する、または、有機溶剤を使用する室内環境、あるいは、経年変化、温度変化による樹脂の機械強度劣化等で、正面パネル１０５の嵌合部が破壊したとき、正面パネル１０５は落下し、在室しているユーザーに当たり怪我をする、下方にある物品を破損する、ということがあるいう課題があった。
【０００７】
そこで本発明は、このような従来の課題を解決するものであり、化粧パネルが落下しにくく、さらに、落下する直前の異常な取付状態が確認できる化粧パネルの取付装置を提供することを目的とする。
【課題を解決するための手段】
【０００８】
そして、この目的を達成するために、本発明の化粧パネル取付装置は、化粧パネルを着脱自在に取り付ける取付手段は、前記化粧パネルの裏面とフレームのいずれか一方に設けられ突起部を備えた複数のボス部と、もう一方に設けられ前記ボス部と嵌合し前記突起部と係合する係合部を備えた複数のボス受け部とからなり、前記複数のボス部とボス受け部のうち１組のボス部とボス受け部が、前記化粧パネルの落下防止をなす構成を備えたものである。
【発明の効果】
【０００９】
本発明によれば、１組だけのボス部とボス受け部に化粧パネルの落下防止機能を備えたので、他の組のボス部とボス受け部の係合部の破損が進むほど化粧パネルの保持姿勢が正常でないことが表れてきて、不具合な状態を目視で気づきやすくなる。また、落下防止機能を備えても化粧パネルの着脱に要する力を大幅に増すことがないという効果を得ることができる。
【図面の簡単な説明】
【００１０】
【図１】本発明の実施の形態１の化粧パネル取付装置を備えた給気グリルの化粧パネル取り外し時を示す斜視図
【図２】同給気グリルの側面断面図
【図３】同給気グリルの化粧パネル裏面を示す斜視図
【図４】同化粧パネルの落下阻止状態を示す斜視図
【図５】同化粧パネルの落下阻止状態を示す側面断面図
【図６】本発明の実施の形態２の化粧パネル取付装置を備えた給気グリルの化粧パネル取り外し時を示す斜視図
【図７】同給気グリルの化粧パネルの落下阻止状態を示す斜視図
【図８】従来の給気グリルを示す側面断面図
【発明を実施するための形態】
【００１１】
本発明の化粧パネル取付装置は、室内側開口部と室外側開口部を連通する通風路を内部に形成し、前記室内側開口部を室内に臨ませて天井面に固定されるフレームに、通風口を備え前記フレームの前記室内側開口を覆う化粧パネルを着脱自在に取り付ける取付手段を備えた化粧パネル取付装置であって、前記取付手段は、前記化粧パネルの裏面と前記フレームのいずれか一方に設けられ突起部を備えた複数のボス部と、もう一方に設けられ前記ボス部と嵌合し前記突起部と係合する係合部を備えた複数のボス受け部とからなり、前記複数のボス部とボス受け部のうち１組のボス部とボス受け部が、前記化粧パネルの落下防止をなす構成を備えたものであり、１組以外の他の組のボス部とボス受け部の係合部が破損すると、１組のボス部とボス受け部が化粧パネルが落下しないように係合保持することとなり、そして、１組だけのボス部とボス受け部に化粧パネルの落下防止機能を備えたので、他の組のボス部とボス受け部の係合部の破損が進むほど化粧パネルの保持姿勢が正常でないことが表れてきて、不具合な状態を目視で気づきやすくなる。また、落下防止機能を備えても、化粧パネルの着脱に要する力を大幅に増すことがないという効果を奏する。
【００１２】
また、前記１組のボス部とボス受け部におけるボス部に２個の突起部を上下方向に設け、通常時は下段の前記突起部が前記係合部に係合するものであり、下段の突起部が破損し他の組の係合部も破損すると上段の突起部が係合し、１組のボス部とボス受け部において、通常時は他の組と同じく下段の突起部が係合して安定した状態で化粧パネルを保持し、下段の突起部および他の組の係合部の破損時には、上段の突起部の係合によって化粧パネルの落下を阻止できる。
【００１３】
また、前記１組のボス部とボス受け部の前記突起部と前記係合部は、通常時係合しなく、前記化粧パネルに落下方向に力が作用した際に係合するものであり、通常時は他の組のボス部とボス受け部によって化粧パネルが係合保持され、他の組の係合部が破損して化粧パネルに落下方向に力が作用した時には、１組のボス部とボス受け部において初めて係合し、落下を阻止して保持することとなり、通常時は１組のボス部とボス受け部に応力がかからないので劣化することがなく、また、他の組のボス部とボス受け部が破損した事態になると化粧パネルはより顕著に不安定な保持姿勢となり、使用者が気づきやすくなる。
【００１４】
また、前記１組のボス部とボス受け部を前記化粧パネルおよび前記フレームの角部側に設け、前記化粧パネルに落下方向に力が作用した際に、前記化粧パネルの外周角部が前記フレームに当接するものであり、他の組のボス部とボス受け部の係合部が破損すると、１組のボス部とボス受け部が支点となり化粧パネルの外周角部がフレームに当接し、化粧パネルのそれ以上の動きが阻止されることとなり、１組のボス部とボス受け部における落下防止機能が向上する。
【００１５】
また、前記複数のボス部とボス受け部を、前記化粧パネルが所定の１方向にしか取り付かないように配設したものであり、使用者が誤って所定の方向以外の方向に化粧パネルを取り付けようとしても取り付かず、化粧パネルの取付方向が所定の方向に一義的に決まるため、誤方向取り付けによる換気不足を防止できる。
【００１６】
また、前記化粧パネルと前記フレームの外周近傍に引っ掛け部と係合穴とからなる係合手段を付加したものであり、万一、１組のボス部とボス受け部の係合部が破損した場合、化粧パネルは係合手段によってフレームに係合保持され、１組のボス部とボス受け部における落下防止機能に加えて、係合手段による落下防止機能を備えることにより、安全性がより向上する。
【００１７】
また、前記係合手段に対向する前記化粧パネルと前記フレームの外周部近傍に、前記化粧パネルと前記フレームを係脱する係脱手段と、前記ボス部とボス受け部の係脱操作をするプッシュボタンとを設けたものであり、プッシュボタンを操作することによって、化粧パネルの係合および脱却が容易にできるとともに、化粧パネルの取外し時に、係脱手段およびボス部とボス受け部の係合を解除した際に、化粧パネルは係合手段によって係合されているので、誤って落下してしまうことがなく、通常の設置時における化粧パネルの落下防止に加えて、掃除等の化粧パネルの取外し時における落下を防止することができる。
【００１８】
また、前記化粧パネルと前記フレームの材質をＰＰにしたものであり、化粧パネルとフレームの耐薬品性が高くなり、化粧パネルとフレームの耐久性が向上して、落下防止機能が長期にわたって維持できる。
【００１９】
以下、本発明の実施の形態について、図１〜図７を参照しながら説明する。
【００２０】
（実施の形態１）
本発明は、室外と連通するダクトを介して室外と室内とを連通するように、天井面、室内壁面等の壁面に取り付けられる給気グリル等の通風機器に装着される化粧パネルの取付装置に関するものであり、本実施の形態１では、天井面（図示せず）に取り付けられる給気グリルの化粧パネルの取付装置において説明する。
【００２１】
図１〜図３示すように、給気グリルは、ダクト（図示せず）と連通する室外側開口１および室内と連通する室内側開口２を有し、室外側開口１と室内側開口２の間に給気流の通風路３を形成し、天井面に固定されるフレーム４を備え、フレーム４には、室内側開口２の外方にフランジ部５が設けられており、また、室外側開口１に、ダクトと室外側開口１を連通接続するために、ダクト内側へ挿入されて、ダクトとスムーズに接続できるように円筒状で、ダクトの挿入時の位置決めとなるリング状のダクト止め部６を形成したアダプター７を有している。アダプター７は、給気グリルの天井面への固定において、ダクトとの接続方向が固定されていてダクトの配管方向によっては接続が困難となることを防ぐため、フレーム４の室内側開口２の中心軸を基準に、アダプター７を含むフレーム上部４ａが３６０度の範囲で回動可能な構成となっている。
【００２２】
フレーム４と天井面との固定方法としては、固定金具８を用いる。固定金具８はフレーム側部４ｂに２箇所設けられ、後述の化粧パネル９を外した状態で室内側から室内側開口２の近傍にあるねじ１０を締め付けることにより、固定金具８が固定金具ガイド１１に沿ってスライドして、天井面と接するフレーム４のフランジ部５との距離が縮まっていき、天井面を固定金具８とフランジ部５とで挟んで締め付けることによって、フレーム４を天井面に固定することができる。
【００２３】
そして、給気グリルはフレーム４の室内側面を着脱自在に覆うように化粧パネル９を備えている。フレーム４のフランジ部５は四角形状をしており、フランジ部５に対向する化粧パネル９も外形が四角形状に形成されている。化粧パネル９には、その外周縁に沿う形状の吹出し開口１２が形成されており、フレーム４の室外側開口１から流入してきた給気流は吹出し開口１２を通して室内へ給気される。
【００２４】
また化粧パネル９においては、着脱が可能なようにその裏面に、それぞれが独立した円筒形状のボス部１３を４個有し、それぞれのボス部１３には、側面上部に化粧パネル９の内側に向かうように突起し、断面が三角形状の爪１４と、円筒形状のボス部１３の軸心方向に形成したスリット１５とを備えている。そして、この化粧パネル９の裏面の円筒状のボス部１３と嵌合して係合するように、フランジ部５に４個のボス受け部１６が形成され、ボス受け部１６には爪１４に係合する係合部２０が形成されている。
【００２５】
ここで、図３に示すように、この三角形状の爪１４を有するボス部１３のうちひとつのボス部１３ａは、上下方向２箇所に形成した爪１４ａを備えている。また、４個のボス部１３の配列は、上下左右ともに非対称な配列となっている。
【００２６】
ところで、給気グリルは、生産の容易性、安価なコスト、または複雑な形状の形成可能な観点から、一般的に樹脂材料で成形される。
【００２７】
このような樹脂の給気グリルにおいては、長期間使用されることによる樹脂の機械強度の劣化、室内外における樹脂を劣化させるような環境、またはガスの発生による樹脂の破損、あるいは、成形のばらつきにおける不具合な嵌合といった原因により、ユーザーが気付かないうちに化粧パネル９が落下し、場合によっては怪我の発生、下方に置いてある物品の破損などが発生する危険性がある。
【００２８】
しかし、本実施の形態１の上記構成によれば、通常時、化粧パネル９は、化粧パネル９のボス部１３とフランジ部５のボス受け部１６が嵌合し、爪１４と係合部２０が係合して保持されているが、もし、そのボス部１３の爪１４がすべて破損しても、一箇所のボス部１３ａのみ上下方向に２個所爪１４ａを有しているため、通常時は応力のかからない爪１４ａが化粧パネル９に係合することになり、図４に示すように、化粧パネル９が脱落しかけるが、化粧パネル９は保持されることとなる。また、視覚的に見ても異常事態が一見して分かるために、ユーザーも異常が発見できることで、怪我の発生等が回避できる。
【００２９】
また、上記１箇所のボス部１３ａの爪１４ａを、通常時はボス受け部１６の係合部２０に係合しなく、他のボス部１３の爪１４が破損した際にのみ係合する爪の構成としても、上記の作用と同様、通常時に応力がかからないため、他のボス部１３の爪１４が破損しても、上記と同様に、化粧パネル９は脱落しかけるが保持されることとなる。
【００３０】
また、図５に示すように、フランジ部５の外周縁部にリブ１７を形成し、１組のボス部１３ａとボス受け部１６を化粧パネル９およびフレーム４の角部側に設けることにより、化粧パネル９に落下方向へ力が作用した時でも、外周縁のリブ１７の根元部に化粧パネル９の外周部が当接し、ボス部１３ａの爪１４ａとボス受け部１６の係合部２０との係合部を支点として、落下防止の作用を奏する。
【００３１】
また、４個のボス部１３が上下左右ともに非対称に配列されているため、化粧パネル９は一方向しか取り付けられないこととなり、吹出し開口１２が一方向に吹き出すように開口されている場合、その位置が一義的に決まるため、誤方向取り付けによる換気不足を防止できる。
【００３２】
また、化粧パネル９とフレーム４の樹脂材料をポリプロピレンにすることにより、樹脂の耐薬品性が向上することにより、化粧パネル９とフレーム４の耐久性が向上し、落下防止機能が長期にわたって維持できる。
【００３３】
（実施の形態２）
実施の形態２の化粧パネル取付装置は、図６に示すように、上記実施の形態１の化粧パネル取付装置に対して、化粧パネル９Ａに、その角部に穴部１８を形成するとともに、穴部１８の対角方向にプッシュボタン２１を設け、また、フレーム４Ａの角部には、穴部１８に係合する引っ掛け部１９を設けている。この穴部１８と引っ掛け部１９とによって、化粧パネル９Ａとフレーム４Ａの係脱手段を構成している。
【００３４】
上記構成により、１組のボス部１３ａとボス受け部１６における落下防止機能に加えて、化粧パネル９Ａの穴部１８とフレーム４Ａの引っ掛け部１９が係合することにより、より安全性が向上する。
【００３５】
そして、図７に示すように、プッシュボタン２１は、その端部を押すことにより、化粧パネル９Ａのボス部１３ａとフレーム４Ａのボス受け部１６との係合が解除され、穴部１８と引っ掛け部１９との係合はそのままとなり、通常の設置時における化粧パネル９Ａの落下防止に加えて、化粧パネル９Ａの着脱が容易になるとともに、掃除等の化粧パネルの取外し時における落下を防止することができる。
【産業上の利用可能性】
【００３６】
本発明に係る化粧パネル取付装置は、使用環境の如何にかかわらず化粧パネルが落下しにくく、また、落下の直前で異常が発見できる効果を有し、通風口が室内に臨んで取り付けられる通風機器に装着される化粧パネルの安全な取付装置として、広く有用である。
【符号の説明】
【００３７】
１      室外側開口
２      室内側開口
３      通風路
４      フレーム
４Ａ    フレーム
９      化粧パネル
９Ａ    化粧パネル
１３    ボス部
１３ａ  ボス部
１４    爪
１４ａ  爪
１６    ボス受け部
１８    穴部
１９    引っ掛け部
２０    係合部
２１    プッシュボタン
【図１】
0005446646.tif 000002
【図２】
0005446646.tif 000003
【図３】
0005446646.tif 000004
【図４】
0005446646.tif 000005
【図５】
0005446646.tif 000006
【図６】
0005446646.tif 000007
【図７】
0005446646.tif 000008
【図８】
0005446646.tif 000009